(57)【要約】【課題】  袋をしっかりと開口させることができる袋ホルダー及び該袋ホルダーを備えた容器を提供することを課題とする。【解決手段】  開口した袋９の開口端部９３を外側に折り返した状態で保持するように構成された袋ホルダー３であって、前記開口端部９３の折り返し点となる折返部９１を掛止するための掛止部４と、該掛止部４よりも下方側に設けられ、折返部９１よりも袋９の開口側に位置する外開口端部９３１を挿通するための挿通部５１が形成された袋調整部５であって、挿通された外開口端部９３１を挿通状態で保持可能に構成された袋調整部５と、を備えた袋ホルダー３。【選択図】図１
2019156646.tif 000002
【特許請求の範囲】
【請求項１】
袋の開口端部を外側に折り返し、該袋を開口した状態で保持するように構成された袋ホルダーと、
上端部に開口部が形成されると共に、下端部に底部を備える容器本体であって、該容器本体の内側で前記袋ホルダーを保持するための保持部を有する容器本体と、を備え、
前記袋ホルダーは、
環状に形成され、且つ、上端縁が前記開口端部の折り返し点となる折返部を掛止するための掛止部を構成する本体部と、
前記掛止部よりも下方側に設けられ、折返部よりも袋の開口側に位置する外開口端部を外側から内側に挿通するための挿通部が形成され、容器本体から露出するように設けられた袋調整部であって、挿通された外開口端部を挿通状態で保持可能に構成された袋調整部と、を備え、
前記本体部は、
前記容器本体に嵌合する容器嵌合部を含み、
前記挿通部は、
所定の大きさで形成された第１挿通部と、
前記第１挿通部に連通し、該第１挿通部よりも小さく形成されていると共に、上下方向に対して交差する方向に延びるように形成されている第２挿通部と、を含み、
前記袋調整部は、挿通された外開口端部を第２挿通部の開口端縁で係止可能に構成されている、容器。
【請求項２】
前記容器本体に形成された開口部を開閉する蓋を備え、
前記蓋は、前記本体部に嵌合した状態で前記開口部を閉塞する、請求項１に記載の容器。
【発明の詳細な説明】
【技術分野】
【０００１】
本発明は、ゴミ袋等の袋を保持して、ゴミ箱等の容器に設置するための袋ホルダーを備えた容器に関する。
【背景技術】
【０００２】
従来から、ゴミ袋等の袋を開口した状態で保持する袋保持手段を有する容器が公知である（特許文献１）。
【０００３】
特許文献１の容器は、上部に開口部が形成された容器本体と、該容器本体に嵌合すると共に、容器本体内に収容される袋の開口端部を容器本体との間に挟み込んで、袋を開口した状態で保持する袋保持手段とを備える。
【０００４】
袋保持手段は、板状の一対の横片と該一対の横片を連結する中間片とを有し、コの字形に形成されている。特許文献１の容器に袋を設置する場合には、まず、袋を容器本体内に入れ、一対の横片及び中間片の内側に通した後、袋の開口端部を袋保持手段の内側から外側に向けて折り返す。袋の開口端部で一対の横片及び中間片を巻き込むようにして袋を袋保持手段の上端部分に掛止する。このように、特許文献１の容器では、袋の開口端部を袋保持手段の形状に沿って開口させた状態で容器本体内に設置することができる。
【先行技術文献】
【特許文献】
【０００５】
【特許文献１】特開平６−２１９５０１号公報
【発明の概要】
【発明が解決しようとする課題】
【０００６】
しかしながら、上記従来の容器は、袋保持手段によって設定される袋の開口径に対して袋の実際の開口径が大きい場合には、袋を袋保持手段に掛止すると袋の開口端部が袋保持手段に対して余り、袋保持手段に沿って弛み部分が形成される。そのため、袋の開口端部の余った部分が容器の内側に向けて盛り上がってしまい、袋の開口が狭くなってしまう。
【０００７】
そこで、本発明は、かかる実情に鑑み、袋をしっかりと開口させることができる袋ホルダーを備えた容器を提供することを課題とする。
【課題を解決するための手段】
【０００８】
本発明に係る袋ホルダーは、袋の開口端部を外側に折り返し、該袋を開口した状態で保持するように構成された袋ホルダーであって、
前記開口端部の折り返し点となる折返部を掛止するための掛止部と、
該掛止部よりも下方側に設けられ、折返部よりも袋の開口側に位置する外開口端部を挿通するための挿通部が形成された袋調整部であって、挿通された外開口端部を挿通状態で保持可能に構成された袋調整部と、を備えている。
【０００９】
かかる構成によれば、袋を開口させ、開口端部を外側に折り返して袋を掛止部に掛止させる。続いて、袋の開口側の外開口端部を袋調整部の挿通部に挿通し、該外開口端部を挿通部から引き出すように引っ張る。袋調整部は、挿通された袋の外開口端部を挿通状態で保持可能に構成されているので、かかる構成の袋ホルダーは、袋の余り部分を挿通部に挿通して袋調整部に保持させることで袋の開口端部を掛止部に沿って張った状態とすることができるので、袋をしっかりと開口させることができる。
【００１０】
本発明の一態様として、前記挿通部は、所定の大きさで形成された第１挿通部と、
第１挿通部に連通し、該第１挿通部よりも小さく形成された第２挿通部と、を含み、
前記袋調整部は、挿通された外開口端部を第２挿通部の開口端縁で係止可能に構成されていてもよい。  
【００１１】
かかる構成によれば、袋の外開口端部を第１挿通部から挿通して、そのまま第２挿通部に移動させ第２挿通部の開口端縁で係止することができる。そのため、かかる構成の袋ホルダーによれば、袋を挿通部に挿通し易く、且つ袋の余り部分が挿通部の開口端縁に係止されるので袋が袋調整部から抜け難くなっている。
【００１２】
本発明の他態様として、前記第２挿通部は、上下方向に対して交差する方向に延びるように形成されていてもよい。
【００１３】
かかる構成によれば、挿通部に挿通された袋を上下方向に対して交差する方向に延びる第２挿通部の開口端縁に沿って係止することができるので、袋に収容物等の重みがかかっても、袋が引っ張られる方向に対して袋の外開口端部が第２挿通部の前記開口端縁によって係止されるので、袋が袋調整部から抜け難くなっている。
【００１４】
本発明の別の態様として、袋ホルダーは、環状に形成され、上端縁が前記掛止部を構成する本体部を備え、
本体部は、袋の外開口端部が自身の下端縁よりも下方側に位置するように袋を掛止可能に構成され、
前記挿通部は、本体部の下端縁よりも下方側で、且つ該本体部の外周縁よりも径方向内側に位置していてもよい。
【００１５】
かかる構成によれば、袋の開口端部を外側に折り返した状態で外開口端部を挿通部に挿通すると、袋の外開口端部のうちの本体部よりも下方側に位置した（延出した）部分が、本体部の外周縁よりも内側に引き込まれた状態となる。そのため、袋に収容物等の重みがかかって外開口端部が上方に引っ張られても本体部の外周縁よりも内側に引き込まれた部分が本体部の下端縁で係止され、袋が袋ホルダーから外れにくくなっている。
【００１６】
本発明の別の態様として、袋ホルダーは、環状に形成され、上端縁が前記掛止部を構成する本体部と、
本体部の周方向に沿って設けられ、袋の外開口端部を本体部に対して係止するように構成された一対の袋止部と、を備え、
前記袋調整部は、本体部の周方向に沿って少なくとも一対設けられ、
本体部は、周方向に沿って一対の袋調整部のうちの一方の袋調整部から他方の袋調整部までの間に位置する第１領域と、他方の袋調整部から一方の袋調整部までの間に位置する第２領域と、を有し、
一対の袋止部は、本体部の開口を介して対向するように、一方の袋止部が第１領域に位置し、他方の袋止部が第２領域に位置するように設けられていてもよい。
【００１７】
かかる構成によれば、袋調整部が袋止部と袋止部との間に配置されると共に、一対の袋止部が本体部の開口を介して対向している。そのため、一対の袋止部に袋を係止することで、袋調整部で袋の余り部分を調整しつつ（吸収しつつ）袋を開口させることができる。このように、かかる構成の袋ホルダーによれば、複数の袋を所定の大きさに開口させた状態で保持することができる。
【００１８】
本発明に係る容器は、上端部に開口部が形成され、下端部に底部を備える容器本体と、
前記袋ホルダーと、を備え、
容器本体は、袋ホルダーを該容器本体の内側で保持するための保持部を有し、
袋ホルダーは、保持部に保持された状態で、上端縁が容器本体の上端縁よりも下方側に位置する高さで形成されている。
【００１９】
かかる構成によれば、袋ホルダーを容器本体に設置すると、袋ホルダーの上端縁が容器本体の上端縁よりも下方側に位置するので、袋ホルダーが容器本体の内側に隠れた状態となる。そのため、袋ホルダーに保持された袋も容器本体の外側に食み出し難くすっきりとした外観となっている。
【発明の効果】
【００２０】
以上より、本発明によれば、袋をしっかりと開口させることができる袋ホルダー及び該袋ホルダーを備えた容器を提供することができる。
【図面の簡単な説明】
【００２１】
【図１】本発明の一実施形態に係る容器の斜視図である。
【図２】同実施形態に係る袋ホルダーの斜視図である。
【図３】同袋ホルダーの正面図である。
【図４】同袋ホルダーの背面図である。
【図５】同袋ホルダーの右側面図である。
【図６】図５のＶＩ−ＶＩ線位置における断面図である。
【図７】同袋ホルダーの平面図である。
【図８】同袋ホルダーの底面図である。
【図９】袋ホルダーに袋を設置した状態の斜視図である。
【図１０】袋ホルダーに袋を設置した状態の袋調整部の断面拡大図である。
【図１１】袋を設置した状態を示す容器の斜視図である。
【図１２】袋ホルダーに複数の袋を設置する場合を説明するための図であって、（ａ）は、本体部の一部に袋が設置された状態の袋ホルダーの斜視図、（ｂ）は、袋止部に袋を係止した状態を説明するための拡大図である。
【図１３】他実施形態に係る容器の斜視図であって、蓋が外された状態の斜視図である。
【図１４】同実施形態に係る袋ホルダーの斜視図である。
【図１５】同実施形態に係る容器の側断面図である。
【発明を実施するための形態】
【００２２】
以下、本発明の一実施形態に係る容器について、図面を参照しつつ説明する。
【００２３】
図１に示すように、本実施形態に係る容器１は、上端部に開口部２１が形成され、下端部に底部２２を備える容器本体２と、袋９（図９〜図１２参照）の開口端部９３を外側に折り返し、該袋９を開口した状態で保持するように構成された袋ホルダー３と、容器本体２の開口部２１を開閉する蓋８とを備える。容器１は、例えばゴミ箱である。
【００２４】
容器本体２は、内部に袋９を設置するためのものである。容器本体２は、底部２２と、該底部２２の端縁から上方に延びる筒状の胴部２３と、袋ホルダー３を該容器本体２の内側で保持するための保持部２４とを備える。本実施形態の容器本体２は、底部２２が矩形板状に形成され、且つ胴部２３が角筒状に形成された直方体状に形成されている。
【００２５】
胴部２３は、所定の開口径を有する大径部２３１と、該大径部２３１の下方側に位置し、大径部２３１よりも開口径が小さい小径部２３２とを備える。大径部２３１と小径部２３２との間には水平方向に延びる段差が形成されている。
【００２６】
保持部２４は、容器本体２の内周面に形成されている。本実施形態では、保持部２４は、胴部２３の内周面に形成されている。具体的には、保持部２４は、大径部２３１と小径部２３２との間に形成された段差であり、袋ホルダー３を容器本体２の内側で載置するように構成されている。
【００２７】
図２〜図８に袋ホルダー３を示す。袋ホルダー３は、袋９の開口端部９３の折り返し点となる折返部９１を掛止するための掛止部４と、該掛止部４よりも下方側に設けられ、折返部９１よりも袋９の開口側に位置する外開口端部９３１を挿通するための挿通部５１が形成された袋調整部５とを備える。本実施形態では、袋調整部５は、本体部６の周方向に沿って少なくとも一対設けられている。また、本実施形態では、袋ホルダー３は、環状に形成され、上端縁６３が掛止部４を構成する本体部６と、袋９の外開口端部９３１を本体部６に対して係止するように構成された一対の袋止部７とを備える。
【００２８】
袋ホルダー３は、保持部２４に保持された状態で、上端縁６３が容器本体２の上端縁２０よりも下方側に位置する高さで形成されている。袋ホルダー３は、容器本体２の開口部２１の形状及び大きさに対応した形状で形成されている。袋ホルダー３は、容器本体２の内周面に沿って配置される。本実施形態の袋ホルダー３は、矩形枠状に形成されている。
【００２９】
ここで、袋９について説明する。図９及び図１０に示すように、袋ホルダー３に保持される袋９は、ゴミなどの収容対象物を収容する収容部９２と、開口を形成する開口端部９３とから構成された一般的な袋である。袋９は、開口端部９３が袋９の外側に向けて折り返された状態で袋ホルダー３に設置される。開口端部９３のうちの折返部９１を境に開口側に位置する開口端部９３を外開口端部９３１とし、収容部９２側に位置する開口端部９３を内開口端部９３２とする。
【００３０】
図１０に示すように、掛止部４は、袋９の開口端部９３の折り返し点を形成する。即ち、袋９は、掛止部４を境に折り返され、開口端部９３が掛止部４の一方側及び他方側に位置することによって掛止部４の前後で重なった状態となる。掛止部４は、袋ホルダー３の上端縁６３である。具体的には、掛止部４は、本体部６の上端縁６３である。
【００３１】
図２及び図８に示すように、本体部６は、外周縁６１及び内周縁６２を有し、環状に形成されている。また、本体部６は、袋９の外開口端部９３１が自身の下端縁６４よりも下方側に位置するように袋９を掛止可能に構成されている（図９及び図１０も参照）。本体部６は、周方向に沿って一対の袋調整部５のうちの一方の袋調整部５ａから他方の袋調整部５ｂまでの間に位置する第１領域６ａと、他方の袋調整部５ｂから一方の袋調整部５ａまでの間に位置する第２領域６ｂと、を有する。図２では、一方の袋調整部５ａを基準に本体部６の一方側（正面側）に第１領域６ａが位置し、他方側（背面側）に第２領域６ｂが位置している。
【００３２】
本実施形態の本体部６は、板枠状に形成されている。図２及び図７に示すように、本体部６は、外周縁６１を構成する外枠部６５と、該外枠部６５の内側に外枠部６５に沿って配置され、内周縁６２を構成する内枠部６６と、外枠部６５と内枠部６６とを連結部する連結部６７とを備える。即ち、本体部６は、外枠部６５と内枠部６６とによって２重構造で形成されている。
【００３３】
本体部６は、矩形枠状に形成されている。以下、上下方向（容器本体２の深さ方向）を高さ方向、本体部６の交差する２辺のうちの一方の辺が延びる方向（容器本体２の前後方向）を縦方向、他方の辺が延びる方向（容器本体２の左右方向）を横方向とする。本実施形態の本体部６は、短辺と長辺とを有する矩形状に形成されている。短辺が延びる方向を縦方向、長辺が延びる方向を横方向とする。本体部６は、外枠部６５及び内枠部６６の高さが、容器本体２の上端縁２０と保持部２４との間の長さよりも短くなるように形成されている。これにより、袋ホルダー３は、容器本体２に設置された状態で容器本体２よりも上方に露出せず、容器本体２内に隠れた状態となる。外枠部６５と内枠部６６とは、略同じ高さで形成されている。本体部６は、外枠部６５の高さ方向における中央部と内枠部６６の高さ方向における中央部とが連結部６７によって連結されることで、断面Ｈ状に形成されている。
【００３４】
図７及び図８に示すように、一対の袋止部７は、本体部６の周方向に沿って設けられている。一対の袋止部７は、本体部６の開口Ｑを介して対向するように、一方の袋止部７ａが第１領域６ａに位置し、他方の袋止部７ｂが第２領域６ｂに位置するように設けられている。本実施形態の袋止部７は、袋９を引っ掛けるための袋止本体７１と、袋９を袋止本体７１へガイドするためのガイド部７２とを備える。
【００３５】
図３及び図４に示すように、外枠部６５には、上端縁６３から下端縁６４にかけて貫通するスリット６５１が形成されている。スリット６５１を形成する一対の側面６５ａは、高さ方向における中央部がスリット６５１の開口側に突出している。この形状により、スリット６５１は、上端縁６３から中央部に向けて狭くなり、該中央部から下端縁６４にかけて広がるように形成されている。スリット６５１は、外枠部６５の長辺側に形成されている。図７及び図８に示すように、スリット６５１は、一対の長辺の両方に形成されており、本体部６の開口Ｑを介して対向する位置に形成されている。本実施形態では、スリット６５１は、各長辺に対して３つ形成されている。
【００３６】
スリット６５１は、横方向における中央に形成された第１スリット６５１ａと、横方向における外枠部６５の一端と第１スリット６５１ａとの間に形成された第２スリット６５１ｂと、横方向における外枠部６５の他端と第１スリット６５１ａとの間に形成された第３スリット６５１ｃとを備える。第２スリット６５１ｂは、外枠部６５の一端から長辺の略１／３の長さに相当する距離離れた位置に形成されている。第３スリット６５１ｃは、外枠部６５の一端から長辺の略２／３の長さに相当する距離離れた位置に形成されている。言い換えれば、第３スリット６５１ｃは、外枠部６５の他端から長辺の略１／３の長さに相当する距離離れた位置に形成されている。
【００３７】
図６に示すように、内枠部６６には、上端縁６３に下方側に窪む凹部６６１が複数形成されている。凹部６６１は、内枠部６６の長辺側に形成されている。図７及び図８に示すように、凹部６６１は、一対の長辺の両方に形成されており、本体部６の開口Ｑを介して対向する位置に形成されている。本実施形態では、凹部６６１は、各長辺に対して３つ形成されている。凹部６６１は、横方向における中央に形成された第１凹部６６１ａと、横方向における内枠部６６の一端と第１凹部６６１ａとの間に形成された第２凹部６６１ｂと、横方向における内枠部６６の他端と第１凹部６６１ａとの間に形成された第３凹部６６１ｃとを備える。第２凹部６６１ｂは、内枠部６６の一端から長辺の略１／３の長さに相当する距離離れた位置に形成されている。第３凹部６６１ｃは、内枠部６６の一端から長辺の略２／３の長さに相当する距離離れた位置に形成されている。言い換えれば、第３凹部６６１ｃは、内枠部６６の他端から長辺の略１／３の長さに相当する距離離れた位置に形成されている。
【００３８】
図７に示すように、第１スリット６５１ａと第１凹部６６１ａは、縦方向で重なる位置に形成されている。第２スリット６５１ｂと第２凹部６６１ｂは、縦方向で重なる位置に形成されている。また、第３スリット６５１ｃと第３凹部６６１ｃは、縦方向で重なる位置に形成されている。本実施形態では、スリット６５１が袋止本体７１を構成し、凹部６６１がガイド部７２を構成している。スリット６５１と凹部６６１とが縦方向に重なって配置されることで、袋９の外開口端部９３１を凹部６６１でガイドしながらスリット６５１に引っ掛けることができる。
【００３９】
また、袋９が一対の第１スリット６５１ａに係止されると、本体部６の開口Ｑを１／２の領域に分けて袋９を設置することができる。また、袋９が一対の第２スリット６５１ｂ又は一対の第３スリット６５１ｃに係止されると、本体部６の開口Ｑを１／３及び２／３の領域に分けて袋９を設置することができる。
【００４０】
袋調整部５は、袋９の開口端部９３の余り部分を吸収する部分である。図５に示すように、袋調整部５には、袋９の外開口端部９３１を挿通するための挿通部５１が形成されている。袋調整部５は、挿通部５１に挿通された袋９の外開口端部９３１を挿通状態で保持可能に構成されている。本実施形態では、袋調整部５は、袋９が引っ張られると挿通部５１から外開口端部９３１が抜け得る程度に袋９を緩く保持する。
【００４１】
図１０に示すように、袋調整部５は、本体部６の下端縁６４から径方向内側に延出し、且つ本体部６の下端縁６４よりも下方側に延出している。袋調整部５は、本体部６に固定されている。
【００４２】
図２に示すように、本実施形態では、袋調整部５は、一対設けられている。一対の袋調整部５は、本体部６の開口Ｑを介して対向するように配置されている。袋調整部５は、本体部６の短辺に設けられている。具体的には、袋調整部５は、短辺の中央部に設けられている。袋調整部５は、下端縁が湾曲して形成された片状部材である。
【００４３】
図１０に示すように、挿通部５１は、本体部６の下端縁６４よりも下方側で、且つ該本体部６の外周縁６１よりも径方向内側に位置している。図５に示すように、挿通部５１は、所定の大きさで形成された第１挿通部５１１と、第１挿通部５１１に連通し、該第１挿通部５１１よりも小さく形成された第２挿通部５１２とを含む。袋調整部５は、挿通された外開口端部９３１を第２挿通部５１２の開口端縁５１２ａで係止可能に構成されている。即ち、挿通部５１は、袋９を通すための大孔と、通した袋９を係止するための小孔とによって構成されている。袋９は、第２挿通部５１２の開口端縁５１２ａだけでなく、第１挿通部５１１の開口端縁５１１ａでも係止され得る。
【００４４】
第１挿通部５１１は、円形状に形成されている。第２挿通部５１２は、上下方向に対して交差する方向に延びるように形成されている。具体的には、第２挿通部５１２は、第１挿通部５１１から、該第１挿通部５１１の径外方向に向けて延びる長孔である。第２挿通部５１２は、上下方向に対して直交する方向に延びている。本実施形態では、第２挿通部５１２は、第１挿通部５１１に対して反対方向に延びる２つの長孔として形成されている。
【００４５】
本実施形態に係る容器１の説明は以上である。続いて、本実施形態に係る容器１へ袋９を設置する方法について、図９〜図１１を参照しつつ説明する。
【００４６】
まず、袋ホルダー３に一枚の袋９を設置する場合について説明する。図９に示すように、袋９の収容部９２を本体部６の内側に通し、開口端部９３を外側に折り返す。続いて、袋９の外開口端部９３１を挿通部５１に挿通する。図１０は、袋９の外開口端部９３１を挿通部５１に挿通した状態の拡大図である。袋９の外開口端部９３１の余り部分が多量である場合には、外開口端部９３１を絞って第１挿通部５１１から挿通し、ある程度引出した後に第２挿通部５１２にも挿通されるように広げる。このように、第２挿通部５１２を通るように外開口端部９３１を広げることで、袋９の収容部９２に重みがかかって外開口端部９３１が上方に引っ張られても、袋９の外開口端部９３１が第２挿通部５１２の開口端縁５１２ａの上側部分に引っ掛かるので、袋９が挿通部５１から抜け難くなっている。
【００４７】
また、上記の場合、図１０に示すように、袋９の外開口端部９３１のうちの本体部６よりも下方側に位置した（延出した）部分が、本体部６の外周縁６１よりも内側に引き込まれた状態となる。そのため、この状態で外開口端部９３１が上方に引っ張られても、本体部６から挿通部５１までの部分（図１０のＳで示す部分）が本体部６の下端縁６４（特に角６４ａ）で係止され、袋９が袋ホルダー３から外れ難い。
【００４８】
袋９の外開口端部９３１の余り部分が少量である場合には、外開口端部９３１を指で押し込むようにして挿通部５１に挿通してもよい。
【００４９】
以上の作業によって袋９を本体部６の上端縁６３に沿って張った状態とし、図１１に示すように、袋ホルダー３を容器本体２に設置する。この状態で袋９は、容器本体２の外周面よりも内側に設置された状態となるので容器本体２からはみ出さず、容器１はすっきりとした外観となっている。また、この状態で蓋８を閉めることで、袋９が完全に容器本体２内に隠れるので、袋９にゴミなどが付着して汚れていたとしても、容器１の外に露出せず衛生的である。
【００５０】
次に、袋ホルダー３に複数の袋９を設置する場合について説明する。図１２（ａ）及び図１２（ｂ）は、便宜上１枚の袋９を設置した状態を示しているが、本体部６の開口Ｑ内における残りの領域に別の袋９を設置することができる。図１２（ａ）に示すように、開口させた袋９の一端を挿通部５１に挿通し、他端を一対の袋止部７に係止する。図１２（ａ）は、第３スリット６５１ｃ及び第３凹部６６１ｃに袋９を係止した状態、即ち、本体部６の開口Ｑの１／３の領域に袋９を設置した状態の図である。第３凹部６６１ｃで袋９をガイドしながら、第３スリット６５１ｃに袋９の外開口端部９３１を差し込んで、図１２（ｂ）に示すように、スリット６５１の側面６５ａに袋９を引っ掛ける。上記の作業によって、袋９をしっかりと開口させた状態に保つことができる。
【００５１】
以上のように、上記実施形態の容器１によれば、袋９を開口させ、開口端部９３を外側に折り返して袋９を掛止部４に掛止させる。続いて、袋９の開口側の外開口端部９３１を袋調整部５の挿通部５１に挿通し、該外開口端部９３１を挿通部５１から引き出すように引っ張る。袋調整部５は、挿通された袋９の外開口端部９３１を挿通状態で保持可能に構成されているので、かかる構成の袋ホルダー３は、袋９の余り部分を挿通部５１に挿通して袋調整部５に保持させることで袋９の開口端部９３を掛止部４に沿って張った状態とすることができるので、袋９をしっかりと開口させることができる。
【００５２】
また、上記実施形態では、挿通部５１がサイズの大きな第１挿通部５１１と該第１挿通部５１１よりも小さい第２挿通部５１２とを含んでいるので、袋９の外開口端部９３１を第１挿通部５１１から挿通して、そのまま第２挿通部５１２に移動させ第２挿通部５１２の開口端縁５１２ａで係止することができる。そのため、かかる構成の袋ホルダー３によれば、袋９を挿通部５１に挿通し易く、且つ袋９の余り部分が挿通部５１の開口端縁５１２ａに係止されるので袋９が袋調整部５から抜け難くなっている。
【００５３】
また、上記実施形態では、第２挿通部５１２は、上下方向に対して交差する方向に延びるように形成されているので、挿通部５１に挿通された袋９を第２挿通部５１２の開口端縁５１２ａに沿って係止することができる。そのため、袋９に収容物等の重みがかかっても、袋９が引っ張られる方向に対して袋９の外開口端部９３１が第２挿通部５１２の前記開口端縁５１２ａによって係止されるので、袋９が袋調整部５から抜け難くなっている。
【００５４】
また、上記実施形態では、袋９の開口端部９３を外側に折り返した状態で外開口端部９３１を挿通部５１に挿通すると、袋９の外開口端部９３１のうちの本体部６よりも下方側に位置した（延出した）部分が、本体部６の外周縁６１よりも内側に引き込まれた状態となる。そのため、袋９に収容物等の重みがかかって外開口端部９３１が上方に引っ張られても本体部６の外周縁６１よりも内側に引き込まれた部分が本体部６の下端縁６４で係止され、袋９が袋ホルダー３から外れにくくなっている。
【００５５】
また、上記実施形態では、袋調整部５が袋止部７と袋止部７との間に配置されると共に、一対の袋止部７が本体部６の開口Ｑを介して対向している。そのため、一対の袋止部７に袋９を係止することで、袋調整部５で袋９の余り部分を調整しつつ（吸収しつつ）袋９を開口させることができる。このように、かかる構成の袋ホルダー３によれば、複数の袋９を所定の大きさに開口させた状態で保持することができる。
【００５６】
また、上記実施形態では、袋ホルダー３を容器本体２に設置すると、袋ホルダー３の上端縁６３が容器本体２の上端縁２０よりも下側に位置するので、袋ホルダー３が容器本体２の内側に隠れた状態となる。そのため、袋ホルダー３に保持された袋９も容器本体２の外側に食み出し難くすっきりとした外観となっている。
【００５７】
上記実施形態では、本体部６が内枠部６６と外枠部６５とによって２重構造で形成され、且つ断面がＨ形状となるように形成されている。即ち、本体部６は、Ｈ鋼状の形状を成しており、十分な強度で形成されている。
【００５８】
尚、本発明の容器１は、上記実施形態に限定されるものではなく、本発明の要旨を逸脱しない範囲内において種々変更を加え得ることは勿論である。
【００５９】
上記実施形態では、容器１が袋ホルダー３を備えるものとして容器１について説明したが、袋ホルダー３の発明としても捉えることができる。この場合、袋ホルダー３は、上記実施形態に係る袋ホルダー３と同様の構成を有していてもよい。
【００６０】
上記実施形態では、袋ホルダー３は、保持部２４に保持された状態で、容器本体２内に隠れる大きさで形成されている場合について説明したが、これに限定されるものではない。例えば図１３〜図１５に示すように、他実施形態として、袋ホルダー３は容器本体２から上方に延出し、容器本体２から露出していてもよい。
【００６１】
本実施形態では、袋調整部５と本体部６とが一体的に、即ち、挿通部５１が本体部６に直接形成されている点で上記実施形態とは異なる。
【００６２】
図１３及び図１４に示すように、本実施形態では、本体部６は、蓋８に嵌合する蓋嵌合部６０１と、容器本体２に嵌合する容器嵌合部６０２とを備える。即ち、図１４に示すように、袋ホルダー３は、容器本体２と蓋８とを接続する中間部材として機能している。本実施形態では、掛止部４は、蓋嵌合部６０１の上端縁６３である。本実施形態では、本体部６の一対の長辺のうちの一方が切欠かれた形状を成しているが、上記実施形態と同様、本体部６は環状に形成されていてもよい。
【００６３】
また、図１５に示すように、本実施形態の容器１は、複数の袋９を容器本体２内に未使用状態で保持しておくための袋保持部２６を備えていてもよい。袋保持部２６は、容器本体２の胴部２３の内面から離間して設けられ、胴部２３に沿って横方向に延びる仕切部Ｌによって区画された領域である。袋保持部２６に複数枚の袋９を予備として保持しておくことで、袋９の取り替えの際に袋保持部２６から袋９を取り出すことでそのまま袋ホルダー３に設置することができるので、袋９の取り替えの際に手早く袋９を設置することができる。また、本体部６（蓋嵌合部６０１）の一対の長辺のうちの一方が切欠かれた形状を成しているため、蓋８を開けると、切欠かれている分だけ本体部６が大きく開口し、袋保持部２６から袋９を取り出し易くなっている。
【００６４】
上記実施形態では、容器１は、直方体状に形成されている場合について説明したが、これに限定されるものではない。容器１は、例えば円筒状に形成されていてもよく、容器１の形状については自由に設定することができる。
【００６５】
上記実施形態では、容器１が例えばゴミ箱である場合について説明したが、これに限定されるものではない。容器１は、ゴミ箱に限られず、収納用として使用される容器１であってもよい。
【００６６】
上記実施形態では、本体部６は、外枠部６５と内枠部６６とによって２重構造で形成されている場合について説明したが、これに限定されるものではない。本体部６は１重構造で形成されていてもよい。
【００６７】
上記実施形態では、袋調整部５が一対設けられている場合について説明したが、これに限定されるものではない。袋調整部５は、１つ設けられていてもよく、又は３つ以上設けられていてもよい。袋調整部５の数については限定されるものではない。また、上記実施形態では、一対の袋調整部５が本体部６の短辺に設けられている場合について説明したが、袋調整部５の位置についても限定されるものではない。一対の袋調整部５は、長辺に設けられていてもよく、また、長辺と短辺とが交差する角部に設けられていてもよい。更に、一対の（複数の）袋調整部５は、長辺、又は短辺に並ぶようにして設けられていてもよい。
【００６８】
上記実施形態では特に言及するものではないが、袋ホルダー３は、例えば、既存の容器１に設置して使用することができる。具体的には、図１に示すように、容器本体２は、従前の袋ホルダーを回動可能に設置するための軸部２０１と、ペダルＰが踏まれることで蓋８を押し上げる蓋押上手段２０２と、を備えていてもよい。そして、袋ホルダー３には、軸部２０１を回避するための回避口６０４、及び蓋押上手段２０２を躱すように形成された回避凹部６０５が形成されていてもよい。
【００６９】
上記実施形態では、挿通部５１が第１挿通部５１１と第２挿通部５１２とを含む場合について説明したが、これに限定されるものではない。挿通部５１は、第１挿通部５１１のみ含んでいてもよい。また、挿通部５１の形状については特に限定されるものではなく、スリットや切目として形成されていてもよい。
【符号の説明】
【００７０】
１…容器、２…容器本体、２１…開口部、２２…底部、２３…胴部、２４…保持部、２６…袋保持部、２３１…大径部、２３２…小径部、３…袋ホルダー、４…掛止部、５…袋調整部、５１…挿通部、５１１…第１挿通部、５１２…第２挿通部、６…本体部、６ａ…第１領域、６ｂ…第２領域、６１…外周縁、６２…内周縁、６３…上端縁、６４…下端縁、６５…外枠部、６６…内枠部、６０１…蓋嵌合部、６０２…容器嵌合部、６５１…スリット、６５１ａ…第１スリット、６５１ｂ…第２スリット、６５１ｃ…第３スリット、６６１…凹部、６６１ａ…第１凹部、６６１ｂ…第２凹部、６６１ｃ…第３凹部、６０４…回避口、６０５…回避凹部、７…袋止部、７１…袋止本体、７２…ガイド部、８…蓋、９…袋、９１…折返部、９２…収容部、９３…開口端部、９３１…外開口端部、９３２…内開口端部
【図１】
2019156646.tif 000003
【図２】
2019156646.tif 000004
【図３】
2019156646.tif 000005
【図４】
2019156646.tif 000006
【図５】
2019156646.tif 000007
【図６】
2019156646.tif 000008
【図７】
2019156646.tif 000009
【図８】
2019156646.tif 000010
【図９】
2019156646.tif 000011
【図１０】
2019156646.tif 000012
【図１１】
2019156646.tif 000013
【図１２】
2019156646.tif 000014
【図１３】
2019156646.tif 000015
【図１４】
2019156646.tif 000016
【図１５】
2019156646.tif 000017